(57)【要約】【課題】補強板を設けずに取っ手の被取り付け部分を補強して梱包箱全体のコストを減らすことができる技術を提供する。【解決手段】梱包箱１０１には、取っ手が挿入される取っ手取付孔８ａ、８ｂを有する上蓋片１１ｃと、前記取っ手が挿入される取っ手取付孔８ｃ、８ｄを有する補強片６１とが設けられている。上蓋片１１ｃと補強片６１とは連続して形成され、折り曲げられたときに取っ手取付孔８ａと取っ手取付孔８ｃとが同一位置で重なり、取っ手取付孔８ｂと取っ手取付孔８ｄとが同一位置で重なって、取っ手の被取り付け部分を補強する。展開状態では、他の形状部分が内接する四角形の内側に補強片６１があるため、補強片６１を設けるためのコストが新たに掛からない。【選択図】図１
2013220822.tif 000002
【特許請求の範囲】
【請求項１】
取っ手が挿入される第１の取っ手取付孔を有する上蓋片と、
前記取っ手が挿入される第２の取っ手取付孔を有する補強片とを備え、
前記上蓋片と前記補強片とは連続して形成され、折り曲げられたときに第１の取っ手取付孔と第２の取っ手取付孔とが重なり、展開状態で他の形状部分が内接する四角形の内側に前記補強片があることを特徴とする梱包箱。
【請求項２】
前記取っ手が挿入される第３の取っ手取付孔を有する補助補強片を備え、
前記補強片と前記補助補強片とは連続して形成され、折り曲げられたときに前記第２の取っ手取付孔と前記第３の取っ手取付孔とが重なる
ことを特徴とする請求項１に記載の梱包箱。
【請求項３】
前記補助補強片は、前記補強片の横方向に連続して形成され、前記横方向に折り曲げられることで前記補強片に重なることを特徴とする請求項２に記載の梱包箱。
【請求項４】
前記補助補強片は、前記補強片の両側に連続して形成されていることを特徴とする請求項２又は３に記載の梱包箱。
【請求項５】
前記補強片は、テーパーが付けられた第１のロック片を有し、
前記上蓋片は、テーパーが付けられた第２のロック片を有し、
折り曲げられて前記補強片と前記上蓋片とが重なったときに、前記第１のロック片と前記第２のロック片とが前記補強片側又は前記上蓋片側のいずれか一方向に共に折り曲げられることを特徴とする請求項１から４までのいずれか一項に記載の梱包箱。
【請求項６】
取っ手が挿入される第１の取っ手取付孔を有する上蓋片と、
前記取っ手が挿入される第２の取っ手取付孔を有する補強片とを備え、
前記上蓋片と前記補強片とは連続して形成され、折り曲げられたときに第１の取っ手取付孔と第２の取っ手取付孔とが重なることを特徴とする梱包箱。
【発明の詳細な説明】
【技術分野】
【０００１】
本発明は、取っ手が設けられる梱包箱に係り、特に、取っ手の取付部分を補強板を用いずに補強する梱包箱に関する。
【背景技術】
【０００２】
従来、商品を収容する梱包箱には、運搬等のために取っ手が設けられることが多い。取っ手を梱包箱に取り付ける際には、取っ手が運搬時に取れないように、被取り付け部分を補強する必要がある。一般的には、取っ手の被取り付け部分にチップボード等の補強板を設けて取っ手を補強することが多いが、別部品となる補強板のコストを削減する技術が検討されている。
【０００３】
例えば、特許文献１には、折り曲げられて２重になった上蓋に形成されるスリットに取っ手を取り付ける技術が記載されており、その際、取っ手本体の係止部の面積を大きくして取っ手本体に強度をもたせることで、取っ手の補強板を省略できることが記載されている。
【先行技術文献】
【特許文献】
【０００４】
【特許文献１】特開２００４−０５９１０５号公報
【発明の概要】
【発明が解決しようとする課題】
【０００５】
しかしながら、特許文献１の技術では、取っ手をスリットで係止させるために、取っ手の係止部の面積を大きくしているが、運搬時にスリットで取っ手が滑りやすくなると共に、取っ手のコストが増加して、梱包箱全体のコストが増加してしまっていた。
【０００６】
本発明は上記課題に鑑みてなされたものであり、補強板を設けずに取っ手の被取り付け部分を補強して梱包箱全体のコストを減らすことができる技術を提供することを目的とする。
【課題を解決するための手段】
【０００７】
本発明の梱包箱は、取っ手が挿入される第１の取っ手取付孔を有する上蓋片と、前記取っ手が挿入される第２の取っ手取付孔を有する補強片とを備え、前記上蓋片と前記補強片とは連続して形成され、折り曲げられたときに第１の取っ手取付孔と第２の取っ手取付孔とが重なり、展開状態で他の形状部分が内接する四角形の内側に前記補強片があることを特徴とする。
また、前記取っ手が挿入される第３の取っ手取付孔を有する補助補強片を備え、前記補強片と前記補助補強片とは連続して形成され、折り曲げられたときに前記第２の取っ手取付孔と前記第３の取っ手取付孔とが重なってもよい。
また、前記補助補強片は、前記補強片の横方向に連続して形成され、前記横方向に折り曲げられてもよい。
また、前記補助補強片は、前記補強片の両側に連続して形成されていてもよい。
また、前記補強片は、テーパーが付けられた第１のロック片を有し、前記上蓋片は、テーパーが付けられた第２のロック片を有し、折り曲げられて前記補強片と前記上蓋片とが重なったときに、前記第１のロック片と前記第２のロック片とが前記補強片側又は前記上蓋片側のいずれか一方向に共に折り曲げられてもよい。
本発明の梱包箱は、取っ手が挿入される第１の取っ手取付孔を有する上蓋片と、前記取っ手が挿入される第２の取っ手取付孔を有する補強片とを備え、前記上蓋片と前記補強片とは連続して形成され、折り曲げられたときに第１の取っ手取付孔と第２の取っ手取付孔とが重なることを特徴とする。
【発明の効果】
【０００８】
本発明によれば、補強板を設けずに取っ手の被取り付け部分を補強して梱包箱全体のコストを減らすことができる。
【図面の簡単な説明】
【０００９】
【図１】本発明に係る実施形態１の梱包箱の展開図である。
【図２】図１に示す梱包箱の組み立て形状を示す図である。
【図３】図２（ｂ）に示すＡの拡大図である。
【図４】本発明に係る実施形態２の梱包箱の展開図である。
【図５】図４に示す梱包箱の組み立て形状を示す図である。
【図６】本発明に係る実施形態３の梱包箱の展開図である。
【図７】図６に示す梱包箱の組み立て形状を示す図である。
【図８】実施形態２の他の梱包箱の展開図である。
【図９】実施形態２の他の梱包箱の展開図である。
【発明を実施するための形態】
【００１０】
本実施形態では、梱包箱の一部を利用して取っ手の被取り付け部分を多層構造にすることで、補強板を不要にしてコストを削減すると共に強度を向上させている。
【００１１】
以下、図を参照して本発明の実施形態を詳細に説明する。なお、以下の図面において、実線は外形線又は切り込み線を示し、点線は折り曲げ線を示し、一点鎖線は基準線を示している。
【００１２】
＜実施形態１＞
図１に示すように、梱包箱１０１は、展開図上で横方向に連続して形成された胴片１２ａ、１２ｂ、１２ｃ、１２ｄと、胴片１２ａ、１２ｂ、１２ｃ、１２ｄの上方に連続してそれぞれ形成された上蓋片１１ａ、１１ｂ、１１ｃ、１１ｄと、胴片１２ａ、１２ｂ、１２ｃ、１２ｄの下方に連続してそれぞれ形成された下蓋片１３ａ、１３ｂ、１３ｃ、１３ｄとで構成され、組み立て状態で方形の箱状となる。また、のり代片１４は、接着剤を介して胴片１２ａと接着され、胴片１２ａ、１２ｂ、１２ｃ、１２ｄを角筒状に固定する。
【００１３】
上蓋片１１ｃには、取っ手８０（図２参照）を取り付けるための取っ手取付孔８ａ、８ｂが形成されている。また、取っ手８０を取り付けるための取っ手取付孔８ｃ、８ｄは、上蓋片１１ｃに連続して形成された補強片６１に形成されている。
【００１４】
補強片６１は、従来の取っ手用の補強板に替わり、取っ手８０が装着されたときに取っ手８０の被取り付け部分を補強するためのものである。補強片６１は、折り曲げ線で折り曲げられることで、上蓋片１１ｃと重なり、補強片６１の取っ手取付孔８ｃ、８ｄと上蓋片１１ｃの取っ手取付孔８ａ、８ｂとが同位置で重なる。そのため、補強片６１の取っ手取付孔８ｃ、８ｄと上蓋片１１ｃの取っ手取付孔８ａ、８ｂとを介して取っ手８０を装着でき、取っ手８０の被取り付け部分を２重構造にして補強することができる。
【００１５】
このように、本実施形態では、取っ手８０の被取り付け部分を補強するために補強片６１を設けている。ただし、展開図上の補強片６１は、展開図上で突出しないように、展開図上の他の部材形状の内側となるように調整されている。すなわち、展開図面上の他の形状部分が内接する四角形９０の内側に補強片６１があるように調整される。図示では、補強片６１の上辺の高さは、第１フラップ１の上辺の高さと同一に調整されている。また、補強片６１の上辺の高さと第１フラップ１の上辺の高さとを同一に調整するため、上蓋片１１ｃに切れ込みを入れて補強片６１の下辺の位置を下げている。
【００１６】
これは、補強片６１を設けることによる新たなコストを増加させないためである。一般的に、梱包箱自体のコストは、展開図に対応するパターンを切り取る際の梱包材料（板紙）の規格サイズによって変動し、梱包材料の規格サイズの範囲内であれば、そこからどのようなパターンを切り取ってもコストが変化しない。つまり、規格サイズの梱包材料を用いることによって梱包箱を安価に仕上げることができる。そのため、補強片６１の大きさに依存して梱包材料の大きさ（四角形９０の大きさ）が変わらないように、展開図上の他の部材形状から補強片６１が突出しないように調整している。
【００１７】
具体的に梱包箱１０１の組み立て手順について図２を参照して説明する。
【００１８】
図１に示す展開図の梱包箱１０１を折り曲げ線で折り曲げて箱状に形成し、上蓋片１１ａ、１１ｂ、１１ｃ、１１ｄが上側に位置するように組み立てた状態を図２に示す。図示では、梱包箱１０１の底部が、粘着テープで固定された例を示しているが、他の方法により固定されてもよい。
【００１９】
図２（ａ）に示すように、補強片６１を図示で上蓋片１１ｃの上側に重なるように折り曲げ線で折り曲げる。補強片６１の折り曲げ方向は、上蓋片１１ｃの下側に重なるように折り曲げてもよい。
【００２０】
図２（ｂ）に示すように、補強片６１を上蓋片１１ｃの上側に重なるように折り曲げると、補強片６１の取っ手取付孔８ｃ、８ｄと上蓋片１１ｃの取っ手取付孔８ａ、８ｂとが同一位置で重なる。補強片６１と上蓋片１１ｃとの重なり状態は、補強片６１に形成されたロック片７ａと上蓋片１１ｃに形成されたロック片７ｂとを同一方向に共に折り曲げることでロックすることができる。
【００２１】
図３は、図２（ｂ）に示すＡの拡大図である。図３に示すように、補強片６１と上蓋片１１ｃとが重なると、補強片６１に形成されたロック片７ａと上蓋片１１ｃに形成されたロック片７ｂとが重なる。このとき、両ロック片７ａ、７ｂを、補強片６１側又は上蓋片１１ｃ側のいずれか一方向に共に折り曲げると、両ロック片７ａ、７ｂにそれぞれテーパーが付けられているため、一方のロック片が他方のロック片（折り曲げ方向のロック片）を形成する補強片６１又は上蓋片１１ｃの切れ込みに引っかかり、補強片６１と上蓋片１１ｃとが重なった状態でロックされる。なお、折り曲げ方向側に位置するロック片は切り取られていてもよい。
【００２２】
そして、取っ手８０の両側の係止部８０ａ、８０ｂを折り曲げながら、上蓋片１１ｃ側から補強片６１側に向けて同じ側にある各取っ手取付孔８ａ、８ｃと、各取っ手取付孔８ｂ、８ｄに係止部８０ａ、８０ｂをそれぞれ通して、取っ手８０を装着する。なお、取っ手取付孔８ａ〜８ｄは、その周縁で係止部８０ａ、８０ｂを係止可能な開口面積を有している。また、取っ手取付孔８ａ〜８ｄは、スリットとは違い、孔の周縁で取っ手８０を係止するので、運搬時の取っ手８０のぐらつきを防止することができる。
【００２３】
その後、図２（ｃ）に示すように、上蓋片１１ｂ、１１ｄを折り曲げて、その上に上蓋片１１ｃを重ねるように折り曲げる。そして、上蓋片１１ｃの上に上蓋片１１ａを重ねるように折り曲げる。その際、第１フラップ１を第１フラップ挿し込み用スリット４に挿し込み、第２フラップ５を第２フラップ挿し込み用スリット２に挿し込むことで、図２（ｄ）に示すように上蓋片１１ａ、１１ｂ、１１ｃ、１１ｄが閉じた状態でロックされる。また、取っ手８０が取っ手用開口３から突出して、梱包箱１０１の持ち運びが可能となる。
【００２４】
このように、本実施形態では、取っ手８０の取り付け部分は、補強片６１と上蓋片１１ｃとによる２重構造となっているので、補強板を設けなくても十分に補強されている。また、補強片６１を展開図上の他の部材形状の内側になるように調整し、展開図上で突出しないようにしたので、補強片６１を設けるために余分なコストを掛けずに済む。
【００２５】
なお、実施形態１では、取っ手８０の被取り付け部分を２重構造とする例を説明したが、３重以上の複層構造にしてより強固に補強してもよい。以下の実施形態では、補強片６１が複数回折り曲げ可能に構成されることにより、取っ手８０の被取り付け部分を３重以上の複層構造とする例を説明する。なお、以下で、実施形態１と同様の構成には同一の符号を付して、その説明を省略する。
【００２６】
＜実施形態２＞
図４に示すように、展開図上で補強片６２は、上蓋片１１ｃに連続して形成されると共に、左右に連続して１つずつ補助補強片９ａ、９ｂが形成されている。それぞれの補助補強片９ａ、９ｂは、それぞれ補強片６１を中央から半分を切り取った形状をしており、折り曲げ線で折り曲げられることで、補強片６１の左右から中央に向かって折り重なる。
【００２７】
また、補助補強片９ａ、９ｂには、それぞれ取っ手取付孔８ｅ、８ｆが形成されている。補助補強片９ａ、９ｂと補強片６２とが重なると、補強片６２の取っ手取付孔８ｃ、８ｄと補助補強片９ａ、９ｂの取っ手取付孔８ｅ、８ｆとが同位置で重なる。また、補助補強片９ａ、９ｂの隅は、補強片６２と重なったときに、補強片６２のロック片７ａと重なる領域が切り欠かれている。
【００２８】
図５は、この梱包箱１０２の組み立て状態を示した図である。図５（ａ）に示すように、補強片６２の左右の補助補強片９ａ、９ｂを補強片６２の上に重なるように折り曲げ線で折り曲げる。すると、図５（ｂ）に示すように、補強片６２に補助補強片９ａ、９ｂが重なるので、その状態で補強片６２を折り曲げ線で折り曲げて上蓋片１１ｃに重ねる。そして、補強片６２のロック片７ａと上蓋片１１ｃのロック片７ｂとを同一方向に折り曲げることで、補強片６２と補助補強片９ａ、９ｂと上蓋片１１ｃとが重なった状態でロックされる。
【００２９】
すると、図５（ｃ）に示すように、補強片６２の取っ手取付孔８ｃ、補助補強片９ａの取っ手取付孔８ｅ、上蓋片１１ｃの取っ手取付孔８ａとが同位置で重なり、補強片６２の取っ手取付孔８ｄ、補助補強片９ｂの取っ手取付孔８ｆ、上蓋片１１ｃの取っ手取付孔８ｂとが同位置で重なる。そこで、取っ手８０の係止部８０ａ、８０ｂを各取っ手取付孔８ａ〜８ｆに通して、取っ手８０を装着する。
【００３０】
これにより、取っ手８０の被取り付け部は、補強片６２と補助補強片９ａ、９ｂと上蓋片１１ｃとによる３重構造になっているので、強固に補強される。
【００３１】
＜実施形態３＞
図６に示すように、補強片６３の図示左側には、補強片６３と同一形状の補助補強片９ｃが連続して形成されている。補強片６３と補助補強片９ｃとの境界には折り曲げ線が形成されている。補助補強片９ｃを折り曲げ線で折り曲げることで、補助補強片９ｃが図示右方向に折り曲げられて補強片６３と重なる。このとき、補助補強片９ｃの取っ手取付孔８ｇと補強片６３の取っ手取付孔８ｃとが同位置で重なり、補助補強片９ｃの取っ手取付孔８ｈと補強片６３の取っ手取付孔８ｄとが同位置で重なる。なお、補助補強片９ｃは、補強片６３の右側に設けられてもよい。また、補助補強片９ｃは、補強片６３の左右両方に設けられてもよい。この場合、取っ手の被取り付け部分は４重構造となる。
【００３２】
図７は、この梱包箱１０３の組み立て状態を示す図である。図７（ａ）に示すように、補助補強片９ｃを折り曲げ線で折り曲げる。補強片６３と補助補強片９ｃとには、それぞれロック片７ａ又は７ｃが設けられている。そのため、補助補強片９ｃは、補強片６３の上側に重なるように折り曲げても、下側に重なるように折り曲げてもどちらでもよく、作業性の自由度が増す構造となっている。
【００３３】
図７（ｂ）に示すように、補強片６３と補助補強片９ｃとが重なった状態で、補強片６３を折り曲げ線で折り曲げて、上蓋片１１ｃに重なるように折り曲げる。そして、補強片６３のロック片７ａと補助補強片９ｃのロック片７ｃと上蓋片１１ｃのロック片７ｂとを同一方向に折り曲げて、補強片６３と補助補強片９ｃと上蓋片１１ｃとを重なった状態でロックする。
【００３４】
すると、図７（ｃ）に示すように、補強片６３の取っ手取付孔８ｃ、補助補強片９ｃの取っ手取付孔８ｇ、上蓋片１１ｃの取っ手取付孔８ａとが同位置で重なり、補強片６３の取っ手取付孔８ｄ、補助補強片９ｃの取っ手取付孔８ｈ、上蓋片１１ｃの取っ手取付孔８ｂとが同位置で重なる。そこで、取っ手８０の係止部８０ａ、８０ｂを各取っ手取付孔８ａ〜８ｈに通して、取っ手８０を装着する。
【００３５】
これにより、取っ手８０の被取り付け部分は、補強片６３と補助補強片９ｃと上蓋片１１ｃとによる３重構造により強固に補強される。
【００３６】
なお、実施形態２及び３では、補強片６２，６３の上辺の高さが、第１スリットの上辺の高さよりも高く、展開図上で突出しているが、これは使用する梱包材料のサイズが補強片６２，６３を設けるゆとりがある場合の一例である。なお、梱包材料のサイズにゆとりがある場合、補助補強片を補強片の上方に連続して形成してもよいことは言うまでもない。
【００３７】
梱包材料のサイズが展開図上の他の形状部分が内接する四角形９０と略同一である場合、実施形態１と同様に、補強片６２，６３が展開図上で突出しないように、上蓋片１１ｃに切れ込みを入れて、補強片６２，６３の下辺の位置を下げてもよい。
【００３８】
例えば、実施形態２の場合、図８に示すように、上蓋片１１ｃに切れ込みを入れて、補強片６２と上蓋片１１ｃとの境界の折り曲げ線の位置を下げると共に、補助補強片９ａ、９ｂ全体の高さを補強片６２全体の高さよりも短くして、展開図上で第１スリット１の上辺の高さと補強片６２及び補助補強片９ａ、９ｂの上辺の高さとが同一になるように調整してもよい。実施形態３の場合も同様である。
【００３９】
なお、図９に示すように、上蓋片１１ｃの上辺の高さを他の上蓋片１１ａ、１１ｂ、１１ｄの上辺の高さよりも下げることで、補助補強片９ａ、９ｂ全体の高さと補強片６２全体の高さとを同一にしてもよい。この場合も、展開図上で第１スリット１の上辺の高さと補強片６２及び補助補強片９ａ、９ｂの上辺の高さとを同一に調整することができる。実施形態３の場合も同様である。
【００４０】
本発明は上述した実施の形態に限定されるものではなく、本発明の趣旨を逸脱しない範囲で種々様々に変更が可能であることは言うまでもない。なお、上記実施形態において、同様の機能を示す構成には、同一の符号を付してある。
【符号の説明】
【００４１】
１：第１フラップ
２：第２フラップ挿し込み用スリット
３：取っ手用開口
４：第１フラップ挿し込み用スリット
５：第２フラップ
７ａ、７ｂ、７ｃ：ロック片
８ａ、８ｂ、８ｃ、８ｄ、８ｅ、８ｆ、８ｇ、８ｈ：取っ手取付孔
９ａ、９ｂ、９ｃ：補助補強片
１１ａ、１１ｂ、１１ｃ、１１ｄ：上蓋片
１２ａ、１２ｂ、１２ｃ、１２ｄ：胴片
１３ａ、１３ｂ、１３ｃ、１３ｄ：下蓋片
１４：のり代片
６１、６２、６３：補強片
８０：取っ手
８０ａ、８０ｂ：係止部
９０：四角形
１０１、１０２、１０３：梱包箱
【図１】
2013220822.tif 000003
【図２】
2013220822.tif 000004
【図３】
2013220822.tif 000005
【図４】
2013220822.tif 000006
【図５】
2013220822.tif 000007
【図６】
2013220822.tif 000008
【図７】
2013220822.tif 000009
【図８】
2013220822.tif 000010
【図９】
2013220822.tif 000011